(57)【特許請求の範囲】
【請求項１】
床面に、移動ラックを走行可能に支持する複数本のガイドレールが敷設された移動ラックの走行経路と、この移動ラックの走行経路上に滴下した液状物を当該走行経路外に排出する液状物排出手段とが設けられ、前記液状物排出手段が、前記走行経路に沿って床面に形成された排出用溝と、この排出用溝に接続した液状物収集用流路と、この液状物収集用流路に接続し且つ収集された液状物を貯める会所と、この会所からの気化ガスを排出する排気手段とを備え、前記会所を含む液状物収集用流路は、収集した液状物を外部に流出させないで当該液状物収集用流路内で貯めるように構成されている移動ラック利用の倉庫設備であって、
前記排出用溝が、前記ガイドレール間の床面に形成され、当該ガイドレール間の床面は、前記排出用溝への流れ勾配を有する、移動ラック利用の倉庫設備。
【請求項２】
前記ガイドレールの内、少なくとも１本のガイドレールには、車輪案内用溝を備えた溝付きガイドレールが使用された倉庫設備であって、当該溝付きガイドレールの車輪案内用溝から前記液状物収集用流路に液状物が流入するように構成されている、請求項１に記載の移動ラック利用の倉庫設備。
【請求項３】
前記液状物収集用流路が、前記走行経路を取り囲むように環状に配設され、この環状の液状物収集用流路中に前記会所が設けられている、請求項１又は２の何れか１項に記載の移動ラック利用の倉庫設備。
【請求項４】
前記液状物収集用流路は床面に形成した溝から成り、この溝に蓋がされている、請求項１〜３の何れか１項に記載の移動ラック利用の倉庫設備。
【請求項５】
前記液状物収集用流路は床面下に埋設した配管によりトンネル状に構成されている、請求項１〜３の何れか１項に記載の移動ラック利用の倉庫設備。
【発明の詳細な説明】
【０００１】
【発明の属する技術分野】
本発明は、床面上の走行経路上を走行し得る移動ラックを備えた倉庫設備に関するものである。
【０００２】
【従来の技術】
移動ラックを備えた倉庫設備に於いて液状物を保管する場合、ラックが走行するものであるために、ラック上の液状物保管容器から移動ラックの走行時の揺れ等が原因で内容物が漏れることがある。勿論、ラックに対する保管容器のフォークリフトによる積み卸し作業時にも、当該容器の揺れや傾きにより内容物が漏れることがある。このようにして床面上に滴下した液状物がそのまま移動ラックの走行経路上に留まることは、単にラックに対する積み卸し作業時の作業環境を悪化させ、スリップ事故等の原因になるだけでなく、塗料や油脂等の保管設備に防爆仕様が要求されるような危険物である場合、床面上に滴下した液状危険物がそのまま留まることは、移動ラックが備える走行駆動手段としての各種電気機器との絡みで爆発事故の原因になる恐れもあり、防爆の観点からも対策が必要であるが、従来はこのような状況に対して的確な対策が講じられていなかった。
【０００３】
【課題を解決するための手段】
本発明は上記のような従来の問題点を解消し得る移動ラック利用の倉庫設備を提供することを目的とするものであって、その手段を後述する実施形態の参照符号を付して示すと、床面８に、移動ラック５を走行可能に支持する複数本のガイドレール６ａ，６ｂ，７が敷設された移動ラック５の走行経路１１と、この移動ラック５の走行経路１１上に滴下した液状物を前記走行経路１１外に排出する液状物排出手段が設けられ、
前記液状物排出手段が、前記走行経路１１に沿って床面８に形成された排出用溝１２と、この排出用溝１２に接続した液状物収集用流路１０と、この液状物収集用流路１０に接続し且つ収集された液状物を貯める会所１０ａと、この会所１０ａからの気化ガスを排出する排気手段１６とを備え、前記会所１０ａを含む液状物収集用流路１０は、収集した液状物を外部に流出させないで当該液状物収集用流路１０内で貯めるように構成されている移動ラック利用の倉庫設備であって、
前記排出用溝１２が、前記ガイドレール間（ガイドレール６ａ，７間、ガイドレール７，７間、及びガイドレール７，６ｂ間）の床面８に形成され、当該ガイドレール間（ガイドレール６ａ，７間、ガイドレール７，７間、及びガイドレール７，６ｂ間）の床面８は、前記排出用溝１２への流れ勾配を有する構成となっている。
【０００４】
上記構成の本発明を実施するについて、前記排出用溝１２が複数本並設されるときは、これら各排出用溝１２が前記走行経路１１の外側に配設される液状物収集用流路１０に接続される。勿論、前記排出用溝１２が１本である場合でも、当該排出用溝１２に接続する前記液状物収集用流路１０において大量の液状物を収集させることが出来る。
【０００５】
又、前記ガイドレール６ａ，６ｂ，７の内、少なくとも１本のガイドレールには、車輪案内用溝２０を備えた溝付きガイドレール６ａ，６ｂが使用された倉庫設備である場合、当該溝付きガイドレール６ａ，６ｂの車輪案内用溝２０から前記液状物収集用流路１０に液状物が流入するように構成することが出来る。
【０００６】
前記液状物収集用流路１０は、前記排出用溝１２の一端部に接続するもののみを配設しても良いし、前記排出用溝１２の一端部に接続するものと前記排出用溝１２の他端部に接続するものとを各別に配設しても良いが、前記走行経路１１を取り囲むように環状に配設しておけば、前記排出用溝１２の両端を同一の液状物収集用流路１０に接続することが出来るし、当該液状物収集用流路１０に収集された液状物の処理にも好都合である。
【０００７】
前記液状物収集用流路１０が床面８に形成された溝によって構成されるときは、当該溝状の液状物収集用流路１０に蓋１９をしてトンネル状に構成するのが効果的である。勿論、前記液状物収集用流路１０は、床面８下に埋設した配管によりトンネル状に構成することも出来る。
【０００８】
【発明の実施の形態】
以下に本発明の好適実施形態を添付図に基づいて説明すると、図１に於いて、１は倉庫用建屋であって、その屋内に移動ラック装置２が設置されている。移動ラック装置２は各種のものが知られており、特に構成が限定されるものではないが、図示のものは、両端の固定ラック３，４の間に複数台の移動ラック５が互いに平行移動可能に配設され、これら移動ラック５の横動により任意のラック間に荷積み卸し作業を行うための作業用通路を形成出来るように構成されている。
【０００９】
各移動ラック５は、その両端の溝付きガイドレール６ａ，６ｂと中間のフラットガイドレール７とによって横動可能に支持されている。これら各ガイドレール６ａ，６ｂ，７は、図２に示すように、床面８と面一に埋設されるものであるが、このようなガイドレール６ａ，６ｂ，７を使用しない無軌道方式の移動ラックを使用するものであっても良い。又、ガイドレールを使用する軌道式移動ラックを採用する場合でも、そのガイドレールの構成は、上記の構成に限定されるものではなく、例えば、１本の溝付きガイドレール６ａと１本又は複数本のフラットガイドレール７との組み合わせから成るものや、一般の軌道車両のように、床面状に突設されるガイドレールと移動ラック側の溝付き車輪又は鍔付き車輪を使用するタイプのものであっても良い。
【００１０】
建屋１の外壁１ａの内側には、移動ラック装置２を取り囲むように環状に溝状の液状物収集用流路１０が形成されている。そして、上記移動ラック装置２の移動ラック５の走行経路１１には、各ガイドレール６ａ，６ｂ，７間の中央位置で床面８に、各ガイドレール６ａ，６ｂ，７と平行に液状物排出用溝１２が設けられ、これら各液状物排出用溝１２の両端が前記液状物収集用流路１０に接続され、各液状物排出用溝１２から液状物収集用流路１０内に液状物が流入するように構成されている。各液状物排出用溝１２自体には、両端の液状物収集用流路１０への流れ勾配を付けても付けなくとも良いが、液状物収集用流路１０のレベルを低くすることが出来るならば、両端の液状物収集用流路１０への流れ勾配（水勾配程度で良い）を付けるのが望ましい。
【００１１】
図２に示すように、各ガイドレール６ａ，６ｂ，７間の床面８には、その中央に位置する液状物排出用溝１２への流れ勾配（水勾配程度で良い）を付けている。即ち、コンクリート基礎１３に埋設されたアンカーボルト１４を介して各ガイドレール６ａ，６ｂ，７を所定レベルに支持した状態で、コンクリート基礎１３上に各ガイドレール６ａ，６ｂ，７の表面と面一に仕上げコンクリート層１５を打設するとき、各ガイドレール６ａ，６ｂ，７間の中央位置に液状物排出用溝１２を型枠形成するのであるが、このとき、各ガイドレール６ａ，６ｂ，７から液状物排出用溝１２に向かって適当な角度の片流れ勾配を付けるように、仕上げコンクリート層１５の表面が仕上げられる。この構成により、移動ラック５の走行経路１１の床面８上に滴下した液状物は、当該床面８上に留まることなく液状物排出用溝１２に流入し、この液状物排出用溝１２内を流れて周囲の液状物収集用流路１０内に流入収集されることになる。
【００１２】
尚、仕上げコンクリート層１５の表面を溝状に仕上げて液状物排出用溝１２を形成しても良いが、液状物排出用溝１２の両肩部に必要な強度を付けるために、金属板等から成形された溝形材を埋設しても良いし、液状物排出用溝１２の両肩部のみをアングル材やフラットバーで補強しても良い。
【００１３】
周囲の環状に連続した液状物収集用流路１０には、適当箇所（１箇所又は複数箇所）に収集した液状物を屋外に流出させるための排出流路を連設して使用することも出来るが、この実施形態では、閉流路に構成して流路内で液状物を滞留させるように構成している。従って、建屋１内を防爆仕様に構成しなければならない場合は、液状物収集用流路１０内に滞留する液状物から発生するガスを屋外に排出する手段が必要である。この実施形態では、図１及び図３に示すように、前記液状物収集用流路１０内から気化ガスを排出する排気手段１６として、液状物収集用流路１０内の１箇所又は複数箇所に液状収集物を集合させる会所１０ａを設け、この会所１０ａ内から建屋１の外壁１ａを貫通して屋外に排気するダクト１７を設け、当該ダクト１７内にモーター駆動の強制排気用ブロアー１８を内装したものを利用している。
【００１４】
液状物収集用流路１０内の会所１０ａに溜まった滞留液状物から発生するガスは、前記排気手段１６により屋外に強制排出出来るが、会所１０ａに至らずに液状物収集用流路１０内に滞留する収集液状物から発生するガスも効果的に排出するためには、図４に示すように、上側開放の溝から成る液状物収集用流路１０に蓋１９を装着してトンネル状に閉塞するのが望ましい。勿論、このような蓋１９を併用しないで、床面下に埋設した配管により前記液状物収集用流路１０を形成しても良い。又、出来るだけ速やかに液状物収集用流路１０内の収集液状物を会所１０ａに集合させるために、液状物収集用流路１０に適当な流れ勾配を付けることが望ましい。
【００１５】
更に、前記のように液状物収集用流路１０に蓋１９を装着するしないに関係なく、液状物収集用流路１０には、前記液状物排出用溝１２からだけでなく、移動ラック走行経路から周囲に流れる液状物が自由に流入出来るように構成するのが望ましい。又、場合によっては、前記液状物排出用溝１２を設けないで、移動ラック走行経路から周囲に床面上を流動する液状物が、移動ラック走行経路を取り囲むように配設した前記液状物収集用流路１０に直接流れ込むように構成することも出来る。
【００１６】
移動ラック５を案内するガイドレール６ａ，６ｂ，７に溝付きガイドレール６ａ，６ｂが使用される場合、当該ガイドレール６ａ，６ｂの車輪案内用溝２０（図２参照）内に滴下液状物が溜まることも考えられる。従って、図５に示すように、溝付きガイドレール６ａ，６ｂの端部を周囲の液状物収集用流路１０に隣接させ、当該ガイドレール６ａ，６ｂの車輪案内用溝２０内から液状物収集用流路１０内に液状物が流入し得るように構成することも出来る。
【００１７】
又、移動ラックの走行経路上に滴下した液状物を前記走行経路外に排出する液状物排出手段として、床面に円形や矩形でその内部適当箇所（中央部等）に液状物を収集することの出来る浅い漏斗状の液状物収集部を所要数形成し、これら各液状物収集部の最深部から走行経路外の液状物収集用流路１０へ収集液状物を排出する流路、例えば床面下に埋設した配管や床面に形成した凹溝を設けることが出来る。
【００１８】
【発明の効果】
本発明の移動ラック利用の倉庫設備は以上のように実施することができるものであって、係る本発明の倉庫設備によれば、当該倉庫設備のラックに保管されている容器やラックに対する当該容器の積み卸し作業時に当該容器から漏れて移動ラックの走行経路の床面上に滴下した液状物を、当該走行経路の床面に設けられた液状物排出手段により前記走行経路外に排出することが出来る。
【００１９】
従って、漏れた液状物が前記走行経路上に永く留まるということが無くなり、ラックに対する積み卸し作業時の作業環境を常に良好に維持させることが出来ると共に、スリップ事故等の防止にも役立つ。又、保管対象の液状物が塗料や油脂等の保管設備に防爆仕様が要求されるような危険物である場合でも、床面上に滴下した液状危険物がそのまま留まることがないので、移動ラックが備える走行駆動手段としての各種電気機器との絡みで爆発事故の原因になる恐れも解消し、防爆仕様の倉庫設備を容易に構成出来る。更に本発明の構成によれば、前記液状物収集用流路において収集した液状物を外部に流出させることによる環境汚染を防止出来るだけでなく、前記液状物収集用流路で収集される液状物が爆発等を誘引する恐れの有る有害ガスを発生するような危険物である場合でも、そのガスを前記液状物収集用流路に接続された会所から効果的に屋外等に排出することが出来、防爆効果を十分に高めることが出来るのであるが、特に、移動ラックの走行経路を構成するために床面上に敷設された複数本のガイドレールに影響されない排出用溝を容易に構成することが出来、しかも、床面上に滴下した液状物を、当該床面の流れ勾配と排出用溝とで確実且つ速やかに移動ラックの走行経路外にある液状物収集用流路に排出出来る。
【００２２】
尚、請求項２に記載の構成によれば、移動ラックを案内するためのガイドレールとして、車輪案内用溝を備えた溝付きガイドレールが使用されている場合、当該溝付きガイドレールの車輪案内用溝に滴下した液状物も、周囲の液状物収集用流路に流出させることが出来、より確実な環境改善、防爆効果を得ることが出来る。
【００２３】
又、請求項３に記載の構成によれば、移動ラック走行経路を取り囲むように環状に液状物収集用流路が配設されているので、この液状物収集用流路の全域に於いて当該液状物収集用流路に対し液状物が直接流入出来る構成とすることにより、移動ラック走行経路の外側に滴下液状物が流出するのを確実に防止することが出来る。又、当該液状物収集用流路へは前記液状物排出用溝からのみ液状物が流入し得るように構成されている場合でも、当該液状物収集用流路が移動ラック走行経路を取り囲むように環状に配設されていることにより、当該液状物収集用流路中の任意の位置に液状物収集用会所を設けることが出来、倉庫設備内での移動ラック装置の位置等に応じて最適のレイアウトを設計することが容易になる。
【図面の簡単な説明】
【図１】  移動ラックを利用した倉庫設備の全体のレイアウトを示す概略平面図である。
【図２】  移動ラックの走行経路の構成を示す縦断面図である。
【図３】  周囲の液状物収集用流路に併設された排気手段を示す縦断側面図である。
【図４】  周囲の液状物収集用流路の具体例を示す縦断面図である。
【図５】  別の実施形態を示す要部の縦断面図である。
【符号の説明】
１    倉庫用建屋
２    移動ラック装置
３，４    固定ラック
５    移動ラック
６ａ，６ｂ    溝付きガイドレール
７    フラットガイドレール
８    床面
１０    溝状の液状物収集用流路
１０ａ    会所
１１    移動ラック走行経路
１２    液状物排出用溝
１３    コンクリート基礎
１５    仕上げコンクリート層
１６    排気手段
１７    ダクト
１８    モーター駆動の強制排気用ブロアー
１９    液状物収集用流路の蓋
２０    溝付きガイドレールの車輪案内用溝
【図１】
0003861977.tif 000002
【図２】
0003861977.tif 000003
【図３】
0003861977.tif 000004
【図４】
0003861977.tif 000005
【図５】
0003861977.tif 000006